(57)【要約】本発明は、複数の磁石（４）を収容する少なくとも１つの円筒形支持体を有する径方向磁束の電磁モータまたは発電機のロータに関し、その少なくとも１つの円筒形支持体は、メッシュ要素を持つ円筒メッシュ構造体（５ａ）を有し、それぞれのメッシュ要素はそれぞれの単位磁石（４）のためのハウジング（５）を画定し、それぞれのハウジング（５）は、その内部に単位磁石（４）を挿入できるのにちょうど十分な内部寸法を有する、電磁モータまたは発電機のロータにおいて、ハウジング（５）と単位磁石（４）の間に繊維強化樹脂で満たされる空間が残され、円筒メッシュ構造体（５ａ）は繊維強化絶縁材料で作られ、そしてロータは単位磁石（４）とメッシュ構造体（５ａ）を被覆する非導電性複合材料層を有する。【選択図】図１
2020511922.tif 000002
【特許請求の範囲】
【請求項１】
複数の磁石（４）を収容する少なくとも１つの円筒形支持体（２ａ）を有する径方向磁束の電磁モータまたは発電機のロータ（１，１ａ）であって、前記少なくとも１つの円筒形支持体（２ａ）は、メッシュ要素を持つ円筒メッシュ構造体（５ａ）を有し、それぞれの前記メッシュ要素はそれぞれの単位磁石（４）のためのハウジング（５）を画定し、それぞれの前記ハウジング（５）は、その内部に前記単位磁石（４）を挿入できるのにちょうど十分な内部寸法を有する、電磁モータまたは発電機のロータ（１，１ａ）において、
前記ハウジング（５）と前記単位磁石（４）の間に繊維強化樹脂で満たされる空間が残され、前記円筒メッシュ構造体（５ａ）は繊維強化絶縁材料で作られ、そして前記ロータは前記単位磁石（４）と前記メッシュ構造体（５ａ）を被覆する非導電性複合材料層を有する、
ことを特徴とする電磁モータまたは発電機のロータ（１，１ａ）。
【請求項２】
少なくとも１つの前記メッシュ構造体（５ａ）は、六角形断面の前記ハウジング（５）を有するハニカムの形態である、ことを特徴とする請求項１に記載のロータ（１，１ａ）。
【請求項３】
各前記単位磁石は、その関連するハウジング（５）を長さ方向に貫通し、そして前記メッシュ構造体（５ａ）の厚さに沿って伸長する細長いパッド（４）の形態であり、前記細長いパッド（４）は、少なくとも１つの長手平面（４ｂ）を持つ円筒形または多面体の形であり、そして少なくとも１つの前記メッシュ構造体（５ａ）がハニカム形態の場合、それぞれの前記パッド（４）は六角形の前記長手面（４ｂ）を有する、ことを特徴とする請求項１または２に記載のロータ（１，１ａ）。
【請求項４】
前記パッド（４）の前記長手面（４ｂ）の表面積の、前記メッシュ構造体（５ａ）の前記ハウジング（５）が開口する面の表面積に対する比率が２％未満である、ことを特徴とする請求項１−３のいずれか一項に記載のロータ（１，１ａ）。
【請求項５】
前記メッシュ構造体（５ａ）は非導電性材料から作られる、ことを特徴とする請求項１−４のいずれか一項に記載のロータ（１，１ａ）。
【請求項６】
前記メッシュ構造体（５ａ）は、前記ロータ（１，１ａ）の回転軸と一致する長手方向軸を有し、そしてそれぞれの前記パッド（４）は前記メッシュ構造体（５ａ）の前記長手方向軸に対して径方向に伸長する、ことを特徴とする請求項１−５のいずれか一項に記載のロータ（１，１ａ）。
【請求項７】
前記複合材料層が、ガラス繊維またはプラスチック繊維などの強化繊維を有する、ことを特徴とする請求項６に記載のロータ（１、１ａ）。
【請求項８】
単層材料または多層材料が、前記メッシュ構造体（５ａ）と前記単位磁石（４）との間の空間に導入される、ことを特徴とする請求項７に記載のロータ（１，１ａ）。
【請求項９】
請求項１−８のいずれか一項に記載の少なくとも１つのロータ（１、１ａ）および少なくとも１つのステータを有する、ことを特徴とする径方向磁束の電磁モータまたは発電機。
【請求項１０】
２つのステータと１つのロータ（１ａ）を備え、円筒形の前記ロータ（１ａ）は、円筒形支持体（２ａ）の上を軸方向に伸長する分離枝部（３ａ）を備える円筒形支持体（２ａ）を有し、そして前記分離枝部（３ａ）は前記メッシュ構造体（５ａ）と前記単位磁石（４）で構成される磁石構造体（６）を軸方向に画定する、ことを特徴とする請求項９に記載の電磁モータまたは発電機。
【請求項１１】
フレット（９ａ）が、前記円筒形支持体（２ａ）付近の前記ロータ（１ａ）の端部を覆い、内側カバー円筒（１０）が前記円筒形支持体（２ａ）の内側に挿入され、そして外側カバー円筒（１５）が前記円筒形支持体（２ａ）の外周の上に前記円筒形支持体（２ａ）の外側に挿入される、ことを特徴とする請求項９または１０に記載の電磁モータまたは発電機。
【請求項１２】
第１のステータが、前記ロータ（１ａ）の内側に配置され、そしてコイル（１１）を備える内部磁気回路（１２）を有し、前記内側カバー円筒（１０）が前記内部磁気回路（１２）を覆い、そして第２のステータが前記ロータ（１ａ）を取り囲んで前記ロータ（１ａ）の外側に配置され、そしてコイル（１３）を内部に統合する外部磁気回路（１４）を有し、前記外側カバー円筒（１５）が前記コイル（１３）と前記外部磁気回路（１４）の間に配置される、ことを特徴とする請求項１１に記載の電磁モータまたは発電機。
【請求項１３】
請求項１−８のいずれか一項に記載のロータ（１、１ａ）を製造する方法であって：
−各単位磁石（４）を円筒形メッシュ構造体（５ａ）の関連するそれぞれのハウジング（５）に導入することにより、前記単位磁石（４）を互いに距離を置いて配置し、そして保持するステップと；
−各前記ハウジング（５）内の前記単位磁石（４）の周りに樹脂を導入することにより、各前記単位磁石（４）を接着するステップと；そして
−前記メッシュ構造体（５ａ）と前記単位磁石（４）を被覆するため、複合材料層を前記メッシュ構造体（５ａ）と前記単位磁石（４）の周りに注入するステップと；
を有することを特徴とする方法。
【発明の詳細な説明】
【技術分野】
【０００１】
本発明は、径方向磁束電磁モータまたは発電機用の、ハニカム構造を有するロータに関する。本発明はまた、そのようなロータを備えた径方向磁束電磁モータまたは発電機に関する。
【０００２】
本発明は、本発明によるロータの特定の特性によって得られる、ロータの高速回転で高出力を供給する電磁モータに有利には使用されるが、それに限定されない。そのようなモータまたは発電機は、例えば、完全な電気自動車またはハイブリッド自動車の電磁モータとして使用できる。
【背景技術】
【０００３】
有利には、しかし限定されないが、径方向磁束電磁モータまたは発電機は、２つのステータに囲まれる少なくとも１つのロータを備えてもよく、これらの要素は、同じシャフト上の少なくとも１つのギャップによって分離されることによって、互いに対して重ね合わせることができる。
【０００４】
高回転の用途では、最適な性能を得るために径方向磁束モータの質量とサイズを小さくすることで可能になるコンパクトなシステムだけでなく、システムの信頼性を向上させるために、回転部品の非常に優れた機械的強度も必要である。
【０００５】
高回転の用途では、最適な性能を得るために損失を減らす必要がある。自動車用途では、小型化に対する要求が増大している。このためには、径方向磁束モータの質量とサイズの削減により可能となるコンパクトなシステムだけでなく、システムの信頼性を向上させるために、回転部分の非常に優れた機械的強度を実現することが重要である。
【０００６】
径方向磁束電磁機械の場合、ロータは円筒形の本体を有し、その周囲全体に磁石が付いている。
【０００７】
そのステータまたは各ステータについて、それらはそれぞれコイルを保持する歯を含む巻線要素を保持し、歯はその両側がノッチで囲まれ、良好な導電体の金属線が歯に巻かれてコイルを形成する。
【０００８】
一連のまたは複数の一連の巻線に電力が供給されると、モータの出力軸に固定されたロータは、磁場に起因するトルクを受け、生成された磁束は、径方向磁束機械用の径方向磁束である。
【０００９】
高出力モータの場合、ロータは高速で回転する。高速回転モータの主な欠点は、１つまたは複数のマグネットがロータから脱落する可能性が高く、またロータが少なくとも部分的に破損することである。このようなモータのロータは、高い回転速度に耐えることができなければならない。
【００１０】
ＵＳ−Ａ−２０１１／０２８５２３７（特許文献１）は軸方向エアギャップを有するモータを開示しており、この文書の目的は、ロータに搭載された永久磁石がその組立中、導入中、および動作中にずれたり緩んだりするのを防ぎながら、ロータの製造工程を簡素化することである。磁石は、磁石を囲む成形品でできた一体化構造に収容されている。
【００１１】
成形部品には、磁石を分離する溝があり、その中に、ロータ本体に備わるリブが挿入され、成形部品の軸方向の動きを防止する。成形部品の径方向の保持は、成形部品の内側および外側の同心要素によって行われる。
【００１２】
この従来技術文書は、成形部品に収容された磁石を対象としており、互いに分離している磁石については何も教示していない。さらに、リブは、成形部品に作用することによってのみ磁石を保持するため、ロータ内の磁石を直接保持しない。さらに、この従来技術文書は、別の問題を抱える軸方向磁束の、径方向磁束でない、モータに関する。
【００１３】
ＥＰ−Ａ−１７８０８７８（特許文献２）は、複数の磁石を収容する少なくとも１つの円筒形支持体を有する径方向磁束電磁モータまたは発電機のロータを開示している。その少なくとも１つの支持体は、それぞれの単位磁石用のハウジングを画定するメッシュ要素をそれぞれ有する円筒状メッシュ構造体を備え、各ハウジングは、その内部への単位磁石の導入を可能にするためにちょうど十分な内部寸法を有する。
【００１４】
この既存技術文書は、単位磁石をメッシュ要素内に保持する手段も、ロータを固定する手段も開示していない。したがって、そのようなロータは、非常に高い回転速度で回転するようには適合されていない。
【００１５】
既存技術文献ＪＰ−Ａ−２０１５２０２５５１４（特許文献３）は、ＥＰ−Ａ−１７８０８７８（特許文献２）の開示を実質的に繰り返しており、非常に高速でロータが回転できるようにする特徴を開示または示唆していない。
【００１６】
ＦＲ−Ａ−２９９６３７８（特許文献４）は、単位磁石を含む磁石構造体を開示している。これらの単位磁石は、単位磁石間に保持要素を介在させることなく、樹脂で接着されている。実際、その接着結合は、ＪＰ−Ａ−２０１５２０２５５１４（特許文献３）およびＥＰ−Ａ−１７８０８７８（特許文献２）に記載されているメッシュを置き換えており、それを補完するものではない。そのような配置は、回転中に磁石を失うことなく高速回転に耐えることができなかった。
【００１７】
本発明の根底にある課題は、ロータから磁石が脱落するのを防ぎながら、それが支持する永久磁石を効果的に保持できる、径方向磁束モータまたは発電機用のロータを設計することである。
【先行技術文献】
【特許文献】
【００１８】
【特許文献１】ＵＳ−Ａ−２０１１／０２８５２３７
【特許文献２】ＥＰ−Ａ−１７８０８７８
【特許文献３】ＪＰ−Ａ−２０１５２０２５５１４
【特許文献４】ＦＲ−Ａ−２９９６３７８
【発明の概要】
【００１９】
この目的のために、本発明は、複数の磁石を収容する少なくとも１つの円筒形支持体を有する径方向磁束の電磁モータまたは発電機のロータであって、少なくとも１つの円筒形支持体は、メッシュ要素を持つ円筒メッシュ構造体を有し、それぞれのメッシュ要素はそれぞれの単位磁石のためのハウジングを画定し、それぞれのハウジングは、その内部に単位磁石を挿入できるのにちょうど十分な内部寸法を有する、電磁モータまたは発電機のロータにおいて、ハウジングと単位磁石の間に繊維強化樹脂で満たされる空間が残され、円筒メッシュ構造体は繊維強化絶縁材料で作られ、そしてロータは単位磁石とメッシュ構造体を被覆する非導電性複合材料層を有する、ことを特徴とする電磁モータまたは発電機のロータ、に関する。
【００２０】
本発明の目的は、従来技術によるロータ内の１つ以上の磁石を複数の小さな磁石または微小な磁石に分解することである。大きな寸法の磁石は、それと同等な小さな磁石または微小な磁石よりも大きな渦電流損失を受ける。したがって、小さな磁石または微小な磁石を使用することにより、ロータの動作に有害なこれらの損失が減少する。
【００２１】
本発明のセルまたはハウジングに配置された磁石を有するロータは、磁石を保持し、軸方向または径方向の力、および非常に高速での遠心力の影響を減少させる固定手段により、ロータの損失を減らすように設計されている。
【００２２】
比較的大きな磁石の割れは、しばしば電磁アクチュエータの誤動作の原因である。本発明は、それらが置き換える磁石よりも小さい複数の単位磁石の存在により、この損傷を防止することを意図している。
【００２３】
また、ハウジングから単位磁石が脱落するという問題が起こる。これは、本発明により提案される接着の手法により解決される。ハウジングは、適切に単位磁石を保持し、そして単位磁石間に樹脂を注入するのに十分なスペースだけを残すために、出来るだけ小さく設計される。樹脂自体は繊維で強化され、機械的保持特性が強化されている。
【００２４】
有利には、少なくとも１つのメッシュ構造体は、六角形断面のハウジングを有するハニカムの形態である。
【００２５】
ハニカムメッシュは、要素（この場合はロータ）の強度を高めることが知られている。単位磁石は六角形のハウジングに挿入され、保持が確実に行われる。ハウジングの壁は電気絶縁体として機能し、そして磁石構造体内のハウジングの密度は大幅に高められうる。ハニカムメッシュは、繊維強化された絶縁複合材料でできていてもよい。
【００２６】
磁石構造体の複合材料被覆は、戻りトルクを誘導しないように鉄からできていることが好ましい。さらに、その機械的強度は高く、被覆は特に、何らかの手段によって互いに対して所定の位置に保持された、単位磁石の配列に複合材料を注入することにより、簡単に行うことができる。このように被覆によって保護された磁石構造体は高回転速度に耐え、単位磁石は、既にメッシュの内にあり、樹脂層により指定の場所に接着されて保持される。
【００２７】
有利には、各単位磁石は、その関連するハウジングを長さ方向に貫通し、そしてメッシュ構造体の厚さに沿って伸長する、細長いパッドの形態であり、その細長いパッドは、少なくとも１つの長手面を持つ円筒形または多面体の形であり、そして少なくとも１つのメッシュ構造体がハニカム形態の場合、それぞれのパッドは六角形の長手面を有する。
【００２８】
したがって細長いパッドは、少なくとも部分的にロータを横切り、有利には貫通し、ロータの少なくとも内周または外周を超えて突出するか、または突出せず、その内周または外周は回転電気アクチュエータ用のステータのコイルに面し、その内周または外周から磁場が放出される。
【００２９】
最も古典的な定義によれば、多面体は、エッジと呼ばれる直線セグメントで交わる多角形の平面を持つ３次元の幾何学的形状であり、たとえば、直角または斜めのプリズム、立方体、角錐などである。本発明の文脈において、六角形の多面体などの、直線および平行なエッジによって接続された、２つの対向する平坦かつ同等の長手方向多角形面を備える、多面体を有することが好ましいが、本発明はこのデザインに限定されず、多面体のもう一方の端に頂点を有する、単一の長手面が存在しうる。
【００３０】
この構成により、単位磁石を形成する多数のパッドを備えたロータを持つことが可能になる。このような複数の単位磁石を備えたロータは、高い強度を有しながら高い磁化力を有し、単位磁石を被覆するため好ましくは複合材料層を有することが分かった。
【００３１】
最適な強度の磁場を得るためには、磁石の理想的な体積が、長さが直径に等しい立方体または円柱に近づく必要があることが知られている。それを超えて磁石の長さを増加させても磁場が増加しないことは一般的常識である。しかしながら、本発明のアプローチは、この先入観とは反対の方向に進む。
【００３２】
単位磁石の長さは、ロータの機械的強度の必要性に対応するため、その平らな長手面の直径または対角線に対して大幅に長く、これは広く実施されている形態からは提案されていない。
【００３３】
本発明によれば、ロータ内の複数の単位磁石は、１つの単位磁石よりも強力であり、ロータによって供給される磁場を驚くほど増加させることが発見された。
【００３４】
有利には、パッドの長手面の表面積の、メッシュ構造体のハウジングが開口する面の表面積に対する比率は２％未満である。
【００３５】
これにより、ロータの片側に非常に多くのパッドを配置することができ、ロータの作業面で単位磁石の形の１つのパッドが占める面積は非常に小さい。
【００３６】
有利には、メッシュ構造体は非導電性材料から作られる。
【００３７】
戻りトルクを誘導しないために、非導電性材料が鉄よりも好ましい。その機械的強度が高く、メッシュの製造が特に複合材料の注入によって簡単に行うことができるため、複合材料が好ましい。メッシュ内の強化繊維は、ロータの強度、特に曲げや座屈に対する剛性を高めるのに役立つ。
【００３８】
有利には、メッシュ構造体は、ロータの回転軸と一致する長手方向軸を有し、そしてそれぞれのパッドはメッシュ構造体の長手方向軸に対して径方向に伸長する。
【００３９】
有利には、複合材料層が、ガラス繊維またはプラスチック繊維などの強化繊維を有する。
【００４０】
有利には、単層材料または多層材料が、メッシュ構造体と単位磁石との間の空間に導入される。この材料は、ニッケル、銅などの単位磁石を被覆するためのプラスチック、複合材料、または金属材料である。材料は、例えば被覆材料であることにより、メッシュへの導入の前に単位磁石上に堆積されていてもよく、または単位磁石とそれを受容するメッシュ要素間で固定を形成する工程を有してもよい。
【００４１】
本発明はまた、少なくとも１つのこのようなロータおよび少なくとも１つのステータを有する、ことを特徴とする径方向磁束電磁モータまたは発電機に関する。
【００４２】
有利には、電磁モータまたは発電機は２つのステータに関係する少なくとも１つのロータを有する。
【００４３】
最後に、本発明は、ロータを製造する方法であって：
−各単位磁石を円筒形メッシュ構造体の関連するそれぞれのハウジングに導入することにより、単位磁石を互いに距離を置いて配置し、そして保持するステップと；
−各ハウジング内の単位磁石の周りに樹脂を導入することにより、各単位磁石を接着するステップと；そして
−メッシュ構造体と単位磁石を被覆するため、複合材料層をメッシュ構造体と単位磁石（４）の周りに注入するステップと；
を有することを特徴とする方法、に関する。
【００４４】
単位磁石は、３次元タイル、特に、必要とされるタイルの幅と長さに事前にカットされうる。単位磁石は、磁気タイルの同等の部分の特性よりも優れた磁気特性を有することがわかっている。
【図面の簡単な説明】
【００４５】
本発明の他の特徴、目的、および利点は、以下の詳細な説明を読み、非限定的な例として与えられた添付の図面を参照することにより明らかになるであろう：
【図１】本発明による径方向磁束ロータを形成するメッシュの斜視概略図であり、メッシュに挿入された複数の単位磁石が示される。
【図２】図１のＡで識別される円で囲まれた部分の拡大概略図である。メッシュに完全に挿入された、挿入の途中の、そして挿入されていない、単位磁石がさらに示される。
【図３】本発明の一実施形態における径方向磁束電磁モータの分解概略図である。
【発明を実施するための形態】
【００４６】
図面は例として与えられ、本発明を限定するものではない。それらは、本発明の理解を容易にすることを意図した原理の概略図を構成し、必ずしも実際の用途における寸法ではない。特に、異なる部分の寸法は、実際を示すものではない。
【００４７】
本発明の目的は、大きなサイズの１つまたは複数の磁石を複数の小さな単位磁石４に置き換えることである。したがって、多数の、ロータあたり少なくとも２０、場合によって１００を超える数の小さな単位磁石４によって磁束が生成される。
【００４８】
従来技術のロータは１〜５個の磁石を含むことができ、一方本発明はより多くの小さな単位磁石を提供する。本発明による単位磁石４は、ロボットによって各セルに挿入することができる。中型のロータの場合、本発明の文脈における小さな磁石４は４ｍｍの寸法を有し得る。
【００４９】
すべての図面を参照して、本発明は、複数の磁石を収容する少なくとも１つの円筒形支持体を有する径方向磁束電磁モータまたは発電機のロータに関する。
【００５０】
本発明によれば、少なくとも１つの支持体２ａは、それぞれの単位磁石４のハウジング５を画定するメッシュ要素をそれぞれ有する円筒状メッシュ構造体５ａを含む。各ハウジング５は、その内部に単位磁石４を導入するのにちょうど十分な内部寸法を有し、一方で、繊維強化樹脂で満たされたハウジングと単位磁石４との間の空間を残し、メッシュ構造体５ａ、特にメッシュ要素は繊維強化断熱材で作られる。
【００５１】
強固な組立体を形成するために、ロータ１、１ａは、単位磁石４とメッシュ構造体５ａを被覆する非導電性複合材料の層を有する。複合材料層は、ガラス繊維またはプラスチック繊維、例えばケブラーまたはポリアミドなどの強化繊維、または組立体の機械的強度を高める任意のプラスチック材料を含んでもよい。
【００５２】
これにより、ロータ１、１ａの高速運動、例えば、高速回転時であっても、単位磁石４のそれぞれのハウジング５内の保持を確実にすることが可能になる。
【００５３】
メッシュ構造体５ａは、六角形断面のハウジング５を有するハニカムの形態であってもよい。この場合、各単位磁石は、メッシュ構造体５ａの厚さに従って伸長する、関連するハウジング５内でその長さを貫通する細長いパッド４の形態であってもよい。
【００５４】
図１および図２では、メッシュ構造体５ａのハウジング５に挿入された少数の単位磁石４のみが示されているが、本発明の文脈では、各メッシュはそれぞれの単位磁石４を受容するためのハウジング５を画定する。
【００５５】
図２では、単位磁石４がそれぞれ挿入および挿入途中の状態で示されており、メッシュ構造体５ａにより間隔をあけられている。単一の単位磁石の長手面が参照番号４ｂで示されているが、この参照番号の付いた長手面について記載されることは、単位磁石４のすべての長手面に対して当てはまる。
【００５６】
本発明の好ましい特徴によれば、各単位磁石４は、特に図１および図２で示される細長いパッド４の形態であり、円筒形のメッシュ構造体５ａを径方向に横切る長さを有する。細長いパッド４は、電磁モータのステータの巻線に面する面である、ロータの作用面に面する少なくとも１つの平坦な長手面を有する、円筒形または多面体の形状であり得る。
【００５７】
メッシュ構造体５ａがハニカムの形状である場合、各パッド４は六角形の長手面４ｂを有することができる。正方形の面も可能である。図１および図２に示されているのは、この非限定的な、特別に好ましくはない形状である。
【００５８】
例えば、限定するものではないが、単位磁石４は、ネオジム鉄ホウ素磁石またはサマリウムコバルト磁石または他の任意のタイプの磁石であってもよい。ネオジム磁石は衝撃やねじれの影響を受けやすく、簡単に発火する。本発明は、分割して寸法を小さくすることにより、これらのすべてのリスク、特に磁石の破損のリスクを回避することを可能にする。磁石のセルまたはハウジング５内での保持は、また磁石を保護する。
【００５９】
パッド４の長手面４ｂの１つの表面積の、メッシュ構造体５ａのハウジング５が開口する面の表面積に対する比率は、２％未満であり得る。これは、１つの単位磁石４がメッシュ構造体５ａの全作業面上に非常に小さなスペースしか占めていないことを示している。これにより、メッシュ構造体５ａ上に非常に多数のパッド４を配置できる。
【００６０】
メッシュ構造体５ａは、非導電性材料でできていてもよく、これにより戻しトルクが減少する。メッシュ構造体５ａは、ノーメックス（登録商標）高性能合成繊維メタアラミド、樹脂または他のプラスチック繊維であってもよい。
【００６１】
メッシュ構造体５ａは、ロータ１、１ａの回転軸と一致する長手方向軸を有し、各パッド４は、メッシュ５の長手方向軸まで径方向に延びている。
【００６２】
したがって、本発明の好ましい実施形態の文脈において、複合材料被覆層、単位磁石４を囲むメッシュ構造体５ａ、およびメッシュ構造体５ａのハウジング５内の磁石の接着結合手段の３つはすべて繊維で強化されてもよい。このようにして得られたロータ１，１ａは、非常に高い破壊強度の機械的特性を有する。
【００６３】
本発明はまた、径方向の磁束を有する電磁モータまたは発電機に関する。このモータまたは発電機は、前述の少なくとも１つのロータと少なくとも１つのステータを備える。
【００６４】
好ましい実施形態では、電磁モータまたは発電機は、２つのステータと１つのロータを備え、円筒形ロータは、軸方向に延びる分離枝部をその上に備える円筒形支持体を有し、分離枝部は、メッシュ要素と単位磁石で構成される磁石構造体を軸方向に画定する。
【００６５】
有利には、フレットが円筒形支持体の近くのロータの端部を覆い、内側カバー円筒が円筒形支持体の内側に挿入され、外側カバー円筒が円筒形支持体の外周上に円筒形支持体の外側端部に挿入される。
【００６６】
有利には、第１のステータは、ロータの内側に配置され、そしてコイルを備える内部磁気回路を有し、内側カバーが内部磁気回路を覆い、そして第２のステータが、ロータの外にロータの周りに配置され、その内側にコイル組み込む外部磁気回路を有し、外側カバーがコイルと外部磁気回路の間に配置される。
【００６７】
最後に、本発明は、上記のロータの製造方法に関する。製造プロセスの最初のステップは、各単位磁石を円筒状メッシュ構造体５ａのそれぞれの関連するハウジング５に導入することにより、互いに離れた位置に単位磁石４を配置し保持するステップである。
【００６８】
２番目のステップは、各ハウジング５の単位磁石４の周りに樹脂を導入することによる、各単位磁石４を結合するステップである。３番目のステップは、メッシュ５と単位磁石４の周りに複合材料層を注入しそれらを被覆するステップである。
【００６９】
２つのステータと１つのロータ１ａを備えた径方向磁束電磁アクチュエータを示す図３に示す実施形態では、円筒形の径方向磁束ロータ１ａは円筒形支持体２ａを有し、分離枝部３ａが円筒形支持体２ａ上で軸方向に延びる。しかし本発明は上記の構成に限定されない。
【００７０】
分離枝部３ａは、メッシュ構造体５ａおよび単位磁石４からなる磁石構造体６を軸方向に画定する。メッシュ構造体５ａに収容される磁石４を受け入れるために、円筒形支持体２ａを分離枝部３ａの間で中空にすることが可能である。それによりハウジング５および単位磁石４を有するハニカムメッシュ構造体５ａからなる磁石構造体６を形成する。
【００７１】
フレット９ａは、ロータ１ａの円筒形支持体２ａの近くの一端を覆う。円筒形支持体２ａの内側には内側カバー円筒１０が挿入され、円筒形支持体２ａの外周の円筒形支持体２ａの外側には外側カバー円筒１５が延在する。
【００７２】
第１のステータは、ロータ１ａの内側に配置され、コイル１１を担持する内部磁気回路１２を有する。内側カバー円筒１０は、内部磁気回路１２を覆う。
【００７３】
第２のステータは、ロータ１ａの外側に配置され、その内側にコイル１３を組み込む外部磁気回路１４を有する。外側カバー円筒１５は、コイル１３と外部磁気回路１４の間に配置される。ケーシング１６は、ロータ１ａ全体と２つのステータを覆っている。
【００７４】
図３に示されていない別の実施形態では、枝部は、円筒形支持体の軸方向に間隔を空けたリングの形態であり得る。連続する枝部は、上記少なくとも１つの支持体の周辺で径方向に突出してもよい。上記少なくとも１つの円筒形支持体が中空であって、セル構造と磁石からなるユニットを収容するためのハウジングを２つの連続する枝部の間に設けることができる。
【００７５】
円筒形支持体に使用される、メッシュ構造体５ａと単位磁石４から構成される磁石構造６は、それぞれ、互いに離れて配置された閉じたリングまたはタイルの形態であってもよい。そうでなければ、この、他の実施形態による径方向磁束アクチュエータにおける、ステータと選択肢としてのカバー円筒またはフレットの配置は、図３に示すものと同様であり得る。この、他の実施形態は好ましくはない。径方向磁束アクチュエータは径方向磁束モータまたは発電機とも呼ばれる。
【００７６】
以下は、本発明の２つの好ましい実施形態について適用されうる。
【００７７】
メッシュ構造体５ａおよび単位磁石４からそれぞれ構成される磁石構造体６は、鉄材料、合成材料または複合材料に基づく締結手段によって上記少なくとも１つの支持体２ａに固定されてもよい。
【００７８】
固定手段は、ロータの一体部品であっても、および／またはロータの一体インサートであってもよい。インサートは、ロータ１、１ａに溶接、ネジ止め、リベット留め、またはスナップ留めすることができる。各単位磁石４とそれを収容するハウジングまたはセル５との間に固定手段を設けることが可能であり、これは、隣接するハウジングまたはセル５に対して境界を定める隔壁１９のハウジングまたはセル５の内面にある。
【００７９】
セルのメッシュ構造体５ａと単位磁石４から構成される各マグネット構造６では、ハウジングまたはセル５は隔壁１９によって画定され、各単位磁石４は、それぞれのハウジングまたはセル５に樹脂、接着剤または溶接により永久に収容される。
【００８０】
単位磁石４およびそれらのそれぞれのハウジングまたはセル５は、それらの極が平行または発散方向に向けられた可変形状であり得る。例えば、ハウジングまたはセル５の寸法は、ハウジングまたはセル５ごとに異なっていてもよい。ハウジングまたはセル５は必ずしも六角形である必要はないが、六角形が好ましい。
【００８１】
電磁モータまたは発電機は、少なくとも１つの巻線を備える１つのステータを備え、少なくとも１つのロータと、１つまたは複数のステータの内、巻線を備える少なくとも１つのステータと、の間に１つまたは複数の空隙を含む。
【００８２】
各ステータは、巻線に関連する磁気回路を備えてもよい。ステータには、開いた又は閉じた歯またはノッチがある。ケーシングは、アクチュエータが電磁モータまたは発電機として使用される場合にそれらを保護する。ステータは直列または並列に接続できる。１つのステータと他のステータとの間のある角度のオフセットは、ノッチの形状および単位磁石４の形状と組み合わされて、トルク変動および戻りトルクを低減する。
【００８３】
アクチュエータはモータでも、電磁発電機でも、速度マルチプライヤの有無にかかわらず、非常に高速で動作できる。モータまたは発電機は、直列または並列に接続された少なくとも２つのステータ、または少なくとも２つのロータを備えてもよい。
【００８４】
ロータは、２つのステータを通ってロータ１、１ａの円形面に垂直に延びる回転軸を備えてもよい。ロータ１、１ａは、少なくとも２つの軸受によって担持されてもよく、軸受は、ステータに対する回転を可能にするためにそれぞれのステータに関連付けられている。
【図１】
2020511922.tif 000003
【図２】
2020511922.tif 000004
【図３】
2020511922.tif 000005
【国際調査報告】
2020511922.tif 000006
2020511922.tif 000007
2020511922.tif 000008
2020511922.tif 000009
2020511922.tif 000010
2020511922.tif 000011